(57)【要約】【課題】介護者に大きな体力的負担を掛けることなく被介護者を安全に移乗させることが可能であるとともに、設置スペースを要さず、トイレ内等狭い場所でも使用でき、しかも低コストな移乗補助装置を提供し、在宅介護が促進されるようにする。【解決手段】ボールキャスター２を設けた移動台１と、該移動台上に回転自在なるように支持された回転台６と、該回転台上に立設された椅子１３と、移動台１を停止させるサイドストッパー１４とを具備し、被介護者Ｂの両足を位置させられる足乗せ部２０ａ，２０ｂを形成し、サイドストッパー１４を作動状態としたうえで介護者Ａが股開状となって両足を床面３上に位置させ両股間にて被介護者Ｂの両足を前記足乗せ部に位置させつつ被介護者Ｂを抱きかかえて後ろに倒れ込むことにより座部１１に座り、その体勢でサイドストッパーを非作動状態として床面３を蹴ることにより回転台６を回転させる。【選択図】図１
2014087495.tif 000002
【特許請求の範囲】
【請求項１】
床面上で任意方向に移動自在なるようにする複数のボールキャスターを適宜間隔を離して設けた移動台と、該移動台上に水平面内で回転自在なるように支持された回転台と、該回転台上に立設された背もたれ付きの椅子と、該椅子の両サイドに設けられていてパッド部を床面に圧下することにより前記移動台の移動および前記回転台の回転を停止させるサイドストッパーとを具備し、前記椅子の座部の前縁部の下方であって前記回転台の上面に被介護者の両足を位置させられる足乗せ部が形成され、前記サイドストッパーを作動状態としたうえで介護者が椅子の前部にて股開状となって両足を床面上に位置させ両股間にて被介護者の両足を前記足乗せ部に位置させつつ被介護者を抱きかかえて後ろに倒れ込むことにより座部に座り、その体勢で前記サイドストッパーを非作動状態として床面を蹴ることにより回転台を回転させて被介護者を移乗させられるようにしたことを特徴とする移乗補助装置。
【請求項２】
足乗せ部は被介護者の両足が左右独立して囲われるように回転台の上面に仕切片を設けてなるものである請求項１に記載した移乗補助装置。
【請求項３】
足乗せ部の高さは床面から３０ｍｍ以下となるようにした請求項１または２に記載した移乗補助装置。
【発明の詳細な説明】
【技術分野】
【０００１】
本発明は、被介護者をベッドから車椅子に移乗したり、車椅子からトイレの洋式便器の上に移乗したりする際に使用する介護用の移乗補助装置に関するものである。
【背景技術】
【０００２】
下記特許文献１に、直立回転軸の上部に手動ハンドルを取り付け、下部に水平可動板を取り付け、水平可動板上に椅子部を直立させてなり、手動ハンドルを操作することによって、直立回転軸のまわりに水平可動板を回転移動し、任意の位置で停止させる回転式移乗用椅子が示されている。
また、下記特許文献２には、トイレや浴室の壁面に沿って設置され、座位で入口開口を通って室の外から内へと移動できる旋回移動台が示されている。
【先行技術文献】
【特許文献】
【０００３】
【特許文献１】特開平１１−１７８８５８号公報
【特許文献２】特開２０１０−１１９４５８号公報
【発明の概要】
【発明が解決しようとする課題】
【０００４】
しかしながら、これらの特許文献に示された椅子型の移乗補助装置は、被介護者が自力で移乗し得る能力を持っていなければ使用できないものであったので、安全に使用することができず、被介護者に不安感や恐怖感を与えるおそれがあった。
また、自力で移乗し得る能力を持っていない被介護者、或いは自力で移乗する自信がない被介護者を例えばベッドから車椅子に移乗したり、車椅子からさらにトイレの洋式便器の上に移乗したりする際、或いはこのような被介護者を入浴させる際などには、介護者に大きな肉体的負担が掛かり、腰を痛めたり、筋肉痛を起こす要因となる。このため相当体力のある者でないとこれらの介護ができないという問題があった。
また、このような介護者の負担を軽減するために、要介護者を吊り上げて移乗し得るようにするリフト装置が従来から知られているが、リフト装置を設置するには非常にコストが掛かるとともに、設置スペースを要し、狭いトイレや浴室等に設置することができないので、例えば在宅介護の環境には不向きであった。
本発明は、上記課題を解決しようとするものである。
【課題を解決するための手段】
【０００５】
本発明に係る移乗補助装置は、床面上で任意方向に移動自在なるようにする複数のボールキャスターを適宜間隔を離して設けた移動台と、該移動台上に水平面内で回転自在なるように支持された回転台と、該回転台上に立設された背もたれ付きの椅子と、該椅子の両サイドに設けられていてパッド部を床面に圧下することにより前記移動台の移動および前記回転台の回転を停止させるサイドストッパーとを具備し、前記椅子の座部の前縁部の下方であって前記回転台の上面に被介護者の両足を位置させられる足乗せ部が形成され、前記サイドストッパーを作動状態としたうえで介護者が椅子の前部にて股開状となって両足を床面上に位置させ両股間にて被介護者の両足を前記足乗せ部に位置させつつ被介護者を抱きかかえて後ろに倒れ込むことにより座部に座り、その体勢で前記サイドストッパーを非作動状態として床面を蹴ることにより回転台を回転させて被介護者を移乗させられるようにしたことを特徴とする。
また、本発明は、上記移乗補助装置において、足乗せ部は被介護者の両足が左右独立して囲われるように回転台の上面に仕切片を設けてなるものであることを特徴とする。こうすることで被介護者の両足が適切な位置に拘束される。よって、足がすべることなく被介護者を安定的に安全に起立させることができる。
また、本発明は、上記移乗補助装置において、足乗せ部の高さは床面から３０ｍｍ以下となるようにしたことを特徴とする。足乗せ部の高さをこのように可及的に低くすることで、被介護者をより抱き込み易くなる。
【発明の効果】
【０００６】
本発明に係る移乗補助装置によれば、介護者に大きな肉体的負担を掛けることなく被介護者を安全に移乗させることが可能であるとともに、設置スペースを要さず、一般家庭のトイレ内等狭い場所でも使用でき、しかも低コストで提供することができるので、在宅介護のために使用するに極めて適切である。
【図面の簡単な説明】
【０００７】
【図１】本発明に係る移乗補助装置の斜視図。
【図２】本発明に係る移乗補助装置の側面図。
【図３】図２のＡ−Ａ線断面図。
【図４】図２のＢ−Ｂ線断面図。
【図５】本発明に係る移乗補助装置の底面図。
【図６】本発明に係る移乗補助装置の使用状態を示した側面図。
【図７】本発明に係る移乗補助装置の使用状態を示した側面図。
【発明を実施するための最良の形態】
【０００８】
次に本発明に係る移乗補助装置の構造を図１〜図５に従い説明する。図２および図５に示したように、１は円板状の移動台で、該移動台の下面に複数のボールキャスター２が適宜間隔を離して設けられ、該ボールキャスター２の球形ボールを床面３上に転がらせることにより、該移動台１は任意の方向に軽い力で移動し得るように構成される。なお、普通の事務用椅子の脚に設けられている車輪式のキャスタ−は、移動方向によっては初期に大きな力を加えなければ移動しないのに対して、このボールキャスター２は、球形ボール（樹脂製のボール）を回転自在に支持してなるものであり、大きな力を要さず任意の方向に軽い力で移動させることが可能となる。
【０００９】
移動台１上には環状の回転台機構５を介在させることで回転台６が水平面内で回転自在なるように支持される。該回転台機構５は、図４に示されるように移動台１の上面に固着した環状のレール７内に適宜間隔で複数個のコロ軸受８を設けるとともに、該コロ軸受により回転台６の下面に固着した環状のレール９を支持してなるもので、例えば株式会社大阪タイユーから「マワールミニ」といった商品名にて市販されているベアリングタイプのターンテーブルを使用し得る。
【００１０】
回転台６上には、両サイドの支脚１０ａ，１０ｂと、後部の支脚１０ｃと、座部１１と、背もたれ１２と、肘掛１２ａとからなる椅子１３が立設される。１４は椅子１３の両サイドの支脚１０ａ，１０ｂに設けられたサイドストッパーで、該サイドストッパー１４は、支脚１０ａ，１０ｂの外側に固着された取付板１４ａに筐体１６が固設され、該筐体１６中に軸棒１５が上下に摺動自在に鉛直に貫通され、該筐体１６内に該軸棒１５を上向きに付勢するコイルバネを設けている。該筐体１６の上部で取付板１４ａに係合板１７が傾動自在に枢着され、該係合板１７と筐体１６との間に圧縮状のコイルバネ１７ａを介在させることにより該係合板１７を上向きに付勢するとともに、該係合板１７に形成された透孔中に筐体１６の上部から突出した軸棒１５を遊嵌し、筐体１６の下部から突出した軸棒１５の下端部にゴム製のパッド部１８を固着し、軸棒１５の上端部にはゴム製のハンドル部１９を固着してなる。そして、該パッド部１８が床面３と相対し得るように前記回転台６の外周縁の一部が凹状に切り欠かれている。このため、ハンドル部１９を手で持って軸棒１５を押し下げ、パッド部１８を床面３に圧下することにより、移動台１が移動しないようにできると同時に回転台６が回転しないようにすることができる。この状態で係合板１７がコイルバネ１７ａの付勢により傾斜状となり該係合板１７の透孔の内周縁が該軸棒１５の外周に係合することから、該軸棒１５の上昇が止められ、該サイドストッパー１４がこのような作動状態に保たれることで移動台１および回転台６を不動状態にすることできる。一方、このようにサイドストッパー１４が作動状態に保たれているときに、係合板１７をコイルバネ１７ａの弾性に抗して手で押し下げることにより、該係合板１７と該軸棒１５との係合状態が解かれ、筐体１６内に設けられた前記コイルバネの弾性により該軸棒１５が上昇することから、該サイドストッパー１４を非作動状態とすることができる。
【００１１】
また、椅子１３の座部１１の前縁部の下方であって回転台６の上面に被介護者の両足を位置させられる足乗せ部２０ａ，２０ｂが形成される。該足乗せ部２０ａ，２０ｂは、被介護者の両足が左右独立して囲われるように回転台６の上面に直線状の仕切片２１と円弧状の仕切片２２を固着してなる。なお、前記ボールキャスター２および前記回転台機構５を使用することにより、足乗せ部２０ａ，２０ｂの床面３からの高さが３０ｍｍ以下となるようにすることができる。２３は回転台６の前部外周縁に形成された凹欠部で、該凹欠部に介護者が足のかかとを位置させることで回転台６の回転を制止できるようにしている。
【００１２】
このように構成した移乗補助装置では、例えばベッドに座った被介護者を車椅子に移乗したり、或いは、車椅子に座った被介護者をトイレの洋式便器の上に移乗させたりするに際し、図６に示したように、介護者Ａが座部１１に座りサイドストッパー１４を作動状態とすることで椅子１３を不動にしたうえで、介護者Ａが椅子の前部にて股開状となって被介護者Ｂと向かい合わせになり、該介護者Ａの両足を床面３上に位置させるとともに介護者Ａの両股間にて被介護者Ｂの両足を前記足乗せ部２０ａ，２０ｂに位置させ、介護者Ａの両手を被介護者Ｂの脇の下から背中に回して組んで被介護者Ｂを抱きかかえ、その体勢で介護者Ａが後ろに倒れ込むことにより図７に示したように座部１１に座る。このとき被介護者Ｂの両足が足乗せ部２０ａ，２０ｂに位置して起立した状態となりこの起立により被介護者Ｂの体重が一時的に支えられることにより、梃子の原理で介護者Ａの体力的負担が軽くなる。なお、背もたれ１２は介護者Ａが後ろに倒れ込むときの支えとなるために欠かせないものである。そしてこのように被介護者Ｂを抱きかかえた体勢でサイドストッパー１４を非作動状態とし、介護者Ａが足で床面３を蹴ることにより、回転台６を回転させ、必要に応じて移動台１を水平移動させ、被介護者Ｂの背後に車椅子や洋式便器等を位置させる。なお、肘掛１２ａはこのように被介護者Ｂを抱きかかえたまま回転・移動するときに介護者Ａの身体が側方に傾くのを防ぎ安全に回転・移動できるようにする。そして、サイドストッパー１４を作動状態とすることで椅子１３を再び不動にし、被介護者Ｂを抱きかかえたまま、被介護者Ｂを車椅子や洋式便器上に倒れ込ませる。このときも被介護者Ｂが後ろに倒れる体重の反動で梃子の原理により介護者Ａが起立できることから、被介護者Ｂの体重が介護者Ａに直接掛かることなく介護者Ａの体力的負担が軽減される。
【００１３】
なお、回転台６の上面に仕切片２１、２２によって囲って足乗せ部２０ａ，２０ｂを形成し、被介護者の両足が左右独立して囲われるようにしたことにより、足底が滑ることなく被介護者の両足が肩幅ぐらいに開いた状態に拘束されることから、被介護者を安定して立たせることができる。また、足乗せ部２０ａ，２０ｂの高さを３０ｍｍ以下に低くすることにより、被介護者は安心して足をつくことができるとともに、介護者が両足を床面についた状態で被介護者を抱き込み易くすることができる。
【００１４】
このように被介護者は、介護者に抱きかかえられるとともに回転台６上に両足がついた状態で移乗するので、自力で移乗できない被介護者でも不安感や恐怖心を持つことなく安心して移乗することができる。また、この移乗補助装置によれば、被介護者を抱きかかえて椅子１３を自転することにより被介護者の向きをその場で１８０度回転させることができるので、一般家庭の狭いトイレにおいても被介護者を車椅子から洋式便器、或いは洋式便器から車椅子へ移乗させることが容易になる。また、介護者に大きな体力的負担を掛けることなく被介護者を安全に移乗させることが可能であるとともに、設置スペースを要さず、一般家庭のトイレ内等狭い場所でも使用でき、しかも簡単な構造であるので低コストで提供することができ、在宅介護が促進されるようにする有益な効果がある。
【符号の説明】
【００１５】
１                移動台
２                ボールキャスター
３                床面
５                回転台機構
６                回転台
１１              座部
１２              背もたれ
１３              椅子
１４              サイドストッパー
１５              軸棒
１７              係合板
１８              パッド部
２０ａ，２０ｂ    足乗せ部
２１、２２        仕切片
Ａ                介護者
Ｂ                被介護者
【図１】
2014087495.tif 000003
【図２】
2014087495.tif 000004
【図３】
2014087495.tif 000005
【図４】
2014087495.tif 000006
【図５】
2014087495.tif 000007
【図６】
2014087495.tif 000008
【図７】
2014087495.tif 000009